(57)【要約】【課題】ユーザーが意図した場合のみ、他の電子機器を補助表示装置として利用可能な表示装置、表示連携システム、表示装置の制御方法、プログラムを提供する。【解決手段】本発明の車載機器１は、２つの画面を表示可能な表示部４１と、携帯端末２の位置を検知する検知部４２と、メイン画面およびサブ画面を表示する２画面モードと、メイン画面のみを表示する１画面モードと、を切り替えて表示部４１に表示する表示制御部４３と、を備え、表示制御部４３は、検知部４２により携帯端末２が所定の位置または所定の距離以内に存在することが検知された場合には１画面モードで表示し、所定の位置または所定の距離以内に存在することが検知されない場合には２画面モードで表示することを特徴とする。【選択図】図２
2015118483.tif 000002
【特許請求の範囲】
【請求項１】
第１の情報および第２の情報を表示可能な表示部と、
前記第１の情報および前記第２の情報を表示する第１の表示モードと、前記第１の情報および前記第２の情報のいずれか一方を表示する第２の表示モードと、を切り替えて前記表示部に表示する表示制御部と、
他の電子機器の位置を検知する検知部と、を備え、
前記表示制御部は、前記検知部により前記他の電子機器が所定の位置または所定の距離以内に存在することが検知された場合には前記第２の表示モードで表示し、前記所定の位置または前記所定の距離以内に存在することが検知されない場合には前記第１の表示モードで表示することを特徴とする表示装置。
【請求項２】
前記第１の表示モードから前記第２の表示モードに切り替えられたとき、前記表示部に表示されていない前記第１の情報または前記第２の情報を、前記他の電子機器に送信する送信部をさらに備え、
前記他の電子機器は、送信された情報を表示することを特徴とする請求項１に記載の表示装置。
【請求項３】
前記第１の表示モードと前記第２の表示モードを切り替えるモード切替操作部をさらに備え、
前記表示制御部は、前記他の電子機器の位置に関わらず、前記他の電子機器とペアリングされた状態で、前記モード切替操作部の操作が行われた場合、表示モードの切り替えを行うことを特徴とする請求項２に記載の表示装置。
【請求項４】
前記表示部は、タッチパネルであり、
前記モード切替操作部の操作は、複数本の指で行うフリック操作、前記表示部の所定位置を起点とするフリック操作、曲線移動を伴うフリック操作のいずれかであることを特徴とする請求項３に記載の表示装置。
【請求項５】
前記第１の情報または前記第２の情報に対する操作を行う情報操作部をさらに備え、
前記送信部は、前記他の電子機器に情報を送信した後、前記情報操作部による操作が行われた場合、その操作信号を前記他の電子機器に送信することを特徴とする請求項２ないし４のいずれか１項に記載の表示装置。
【請求項６】
前記他の電子機器において、前記送信部により送信された情報に対する操作が行われた場合、その操作信号を当該他の電子機器から受信する受信部をさらに備え、
前記受信部で受信した操作信号は、前記情報操作部による操作信号と同等に扱うことを特徴とする請求項５に記載の表示装置。
【請求項７】
前記第１の情報がメイン画面であり、前記第２の情報がサブ画面である場合、
前記第１の表示モードから前記第２の表示モードに切り替えられたとき、
前記表示制御部は、前記第１の情報を前記表示部に表示し、
前記送信部は、前記第２の情報を前記他の電子機器に送信することを特徴とする請求項２ないし６のいずれか１項に記載の表示装置。
【請求項８】
前記第２の情報は、自装置に組み込まれたウィジェットのランチャーであることを特徴とする請求項７に記載の表示装置。
【請求項９】
前記第１の情報および前記第２の情報のいずれをメイン画面とするか、若しくは前記第１の情報および前記第２の情報のいずれをサブ画面とするかを指定する画面指定部をさらに備え、
前記第１の表示モードから前記第２の表示モードに切り替えられたとき、
前記表示制御部は、前記メイン画面を前記表示部に表示し、
前記送信部は、前記サブ画面を前記他の電子機器に送信することを特徴とする請求項２ないし６のいずれか１項に記載の表示装置。
【請求項１０】
前記第１の情報は、ナビゲーション画面であり、
前記第２の情報は、オーディオ操作画面または映像表示画面であることを特徴とする請求項９に記載の表示装置。
【請求項１１】
請求項１ないし１０のいずれか１項に記載の表示装置と、前記他の電子機器と、が通信可能に構成されたことを特徴とする表示連携システム。
【請求項１２】
第１の情報および第２の情報を表示可能な表示部を備えた表示装置の制御方法であって、
前記第１の情報および前記第２の情報を表示する第１の表示モードと、前記第１の情報および前記第２の情報のいずれか一方を表示する第２の表示モードと、を切り替えて前記表示部に表示する表示制御ステップと、
他の電子機器の位置を検知する検知ステップと、を実行し、
前記表示制御ステップは、前記検知ステップにより前記他の電子機器が所定の位置または所定の距離以内に存在することが検知された場合には前記第２の表示モードで表示し、前記所定の位置または前記所定の距離以内に存在することが検知されない場合には前記第１の表示モードで表示することを特徴とする表示装置の制御方法。
【請求項１３】
コンピューターに、請求項１２に記載の表示装置の制御方法における各ステップを実行させるためのプログラム。
【発明の詳細な説明】
【技術分野】
【０００１】
本発明は、複数の情報を表示可能な表示装置、表示連携システム、表示装置の制御方法、プログラムに関する。
【背景技術】
【０００２】
この種の技術として、例えば特許文献１が提案されている。この特許文献１は、第１の処理を実行する第１のユニットと第２の処理を実行する第２のユニットを表示可能な車載機器と、第１の処理による画像表示を行うアプリケーションを備えた携帯端末と、から成る車載機器システムに関する発明であり、車載機器は、第１ユニットから第２ユニットへの切り替えに伴って、携帯端末に対しアプリケーションの起動要求を行うものである。この構成により、例えば車載機器でＡＶユニットを表示している間、携帯端末でナビゲーションユニットを表示し、さらに携帯端末でナビゲーションユニットの操作を行うことができるため、携帯端末で車載機器の機能を補うことができる、などの効果を奏する。
【先行技術文献】
【特許文献】
【０００３】
【特許文献１】特開２０１２−１４９９９８号公報
【発明の概要】
【発明が解決しようとする課題】
【０００４】
ところが、特許文献１の技術では、車載機器におけるＤＶＤの起動操作をきっかけとして、携帯端末に対しナビゲーションアプリケーションの起動要求が行われる。このため、ユーザーが意図していないにも関わらず、携帯端末側にナビゲーションユニットが表示されるおそれがあった。
【０００５】
本発明は、上記の問題点に鑑み、ユーザーが意図した場合のみ、他の電子機器を補助表示装置として利用可能な表示装置、表示連携システム、表示装置の制御方法、プログラムを提供することを課題とする。
【課題を解決するための手段】
【０００６】
本発明の表示装置は、第１の情報および第２の情報を表示可能な表示部と、第１の情報および第２の情報を表示する第１の表示モードと、第１の情報および第２の情報のいずれか一方を表示する第２の表示モードと、を切り替えて表示部に表示する表示制御部と、他の電子機器の位置を検知する検知部と、を備え、表示制御部は、検知部により他の電子機器が所定の位置または所定の距離以内に存在することが検知された場合には第２の表示モードで表示し、所定の位置または所定の距離以内に存在することが検知されない場合には第１の表示モードで表示することを特徴とする。
【０００７】
上記の表示装置において、第１の表示モードから第２の表示モードに切り替えられたとき、表示部に表示されていない第１の情報または第２の情報を、他の電子機器に送信する送信部をさらに備え、他の電子機器は、送信された情報を表示することを特徴とする。
【０００８】
上記の表示装置において、第１の表示モードと第２の表示モードを切り替えるモード切替操作部をさらに備え、表示制御部は、他の電子機器の位置に関わらず、他の電子機器とペアリングされた状態で、モード切替操作部の操作が行われた場合、表示モードの切り替えを行うことを特徴とする。
【０００９】
上記の表示装置において、表示部は、タッチパネルであり、モード切替操作部の操作は、複数本の指で行うフリック操作、表示部の所定位置を起点とするフリック操作、曲線移動を伴うフリック操作のいずれかであることを特徴とする。
【００１０】
上記の表示装置において、第１の情報または第２の情報に対する操作を行う情報操作部をさらに備え、送信部は、他の電子機器に情報を送信した後、情報操作部による操作が行われた場合、その操作信号を他の電子機器に送信することを特徴とする。
【００１１】
上記の表示装置は、他の電子機器において、送信部により送信された情報に対する操作が行われた場合、その操作信号を当該他の電子機器から受信する受信部をさらに備え、受信部で受信した操作信号は、情報操作部による操作信号と同等に扱うことを特徴とする。
【００１２】
上記の表示装置において、第１の情報がメイン画面であり、第２の情報がサブ画面である場合、第１の表示モードから第２の表示モードに切り替えられたとき、表示制御部は、第１の情報を表示部に表示し、送信部は、第２の情報を他の電子機器に送信することを特徴とする。
【００１３】
上記の表示装置において、第２の情報は、自装置に組み込まれたウィジェットのランチャーであることを特徴とする。
【００１４】
上記の表示装置において、第１の情報および第２の情報のいずれをメイン画面とするか、若しくは第１の情報および第２の情報のいずれをサブ画面とするかを指定する画面指定部をさらに備え、第１の表示モードから第２の表示モードに切り替えられたとき、表示制御部は、メイン画面を表示部に表示し、送信部は、サブ画面を他の電子機器に送信することを特徴とする。
【００１５】
上記の表示装置において、第１の情報は、ナビゲーション画面であり、第２の情報は、オーディオ操作画面または映像表示画面であることを特徴とする。
【００１６】
本発明の表示連携システムは、上記の表示装置と、他の電子機器と、が通信可能に構成されたことを特徴とする。
【００１７】
本発明の表示装置の制御方法は、第１の情報および第２の情報を表示可能な表示部を備えた表示装置の制御方法であって、第１の情報および第２の情報を表示する第１の表示モードと、第１の情報および第２の情報のいずれか一方を表示する第２の表示モードと、を切り替えて表示部に表示する表示制御ステップと、他の電子機器の位置を検知する検知ステップと、を実行し、表示制御ステップは、検知ステップにより他の電子機器が所定の位置または所定の距離以内に存在することが検知された場合には第２の表示モードで表示し、所定の位置または所定の距離以内に存在することが検知されない場合には第１の表示モードで表示することを特徴とする。
【００１８】
本発明のプログラムは、コンピューターに、上記の表示装置の制御方法における各ステップを実行させることを特徴とする。
【図面の簡単な説明】
【００１９】
【図１】本発明の一実施形態に係る表示連携システムのシステム構成図である。
【図２】（ａ）は、車載機器の機能ブロック図であり、（ｂ）は、携帯端末の機能ブロック図である。
【図３】車載機器の表示例（地図画面とガイド画面の２画面表示）および携帯端末の表示例（ホーム画面）を示す図である。
【図４】車載機器の表示例（地図画面の１画面表示）および携帯端末の表示例（ガイド画面）を示す図である。
【図５】（ａ）は、車載機器の表示例（地図画面とランチャー画面の２画面表示）を示す図であり、（ｂ）は、車載機器の表示例（映像表示画面と地図画面の２画面表示）を示す図である。
【図６】（ａ）は、車載機器の表示例（映像表示画面とオーディオ操作画面の２画面表示）を示す図であり、（ｂ）は、車載機器の表示例（オーディオ操作画面の１画面表示）を示す図である。
【図７】（ａ）〜（ｃ）は、表示モード切替操作の操作例を示す図である。
【図８】２画面モードから１画面モードへの表示モード切替処理を示すフローチャートである。
【図９】１画面モードから２画面モードへの表示モード切替処理を示すフローチャートである。
【発明を実施するための形態】
【００２０】
以下、本発明の一実施形態に係る表示装置、表示連携システム、表示装置の制御方法、プログラムについて、添付図面を参照しながら詳細に説明する。本実施形態では、本発明の表示装置を車載機器に適用し、車載機器と携帯端末の間で表示画面を遷移させる場合について例示する。特に本実施形態では、携帯端末を車載機器の補助表示装置として用いるものとする。なお、車載機器とは、車両出荷後に取り付けられたもの（例えば、市販されているカーナビゲーション装置など）であっても良いし、車両出荷段階で既に車両に組み込まれたものであっても良い。
【００２１】
図１は、本発明の一実施形態に係る表示連携システムＳＹのシステム構成図である。表示連携システムＳＹは、車両に搭載された車載機器１と、車両搭乗者が所持する携帯端末２と、これら車載機器１および携帯端末２を接続するドックコネクタ３と、を備えている。
【００２２】
ドックコネクタ３は、車載機器１から引き出されるケーブルと、コネクタハウジングから成り（図示省略）、当該コネクタハウジングに携帯端末２が装着される。コネクタハウジングは、携帯端末２のタッチパネル２２が、車載機器１のタッチパネル１４に近接して配置されるように、車載機器１の本体近傍に設けられる。また、コネクタハウジングには、信号入出力端子が備えられ、携帯端末２への給電機能も有している。
【００２３】
車載機器１は、主なハードウェア構成として、メモリー１１、ナビユニット１２、ＡＶユニット１３、タッチパネル１４、スピーカー１５、無線通信インターフェース１６、ドックインターフェース１７および制御ユニット１８を備えている。
【００２４】
メモリー１１は、各種制御プログラムや制御データの他、ＡＶユニット１３で再生するためのＡＶコンテンツを不揮発に記憶する。ナビユニット１２は、ナビゲーション機能を実現するためのプログラムおよびセンサー（ＧＰＳを含む）を含む。ＡＶユニット１３は、映像再生機能および音楽再生機能を実現するためのプログラムおよびプレーヤーを含む。タッチパネル１４は、各種情報の表示および操作に用いられる。スピーカー１５は、ナビユニット１２やＡＶユニット１３で再生された音声を出力する。無線通信インターフェース１６は、ブルートゥース（登録商標）等の無線通信を介して、携帯端末２との通信を行う。ドックインターフェース１７は、ケーブルを介してドックコネクタ３と接続される。また、制御ユニット１８は、ＣＰＵ（Central  Processing  Unit）、ＲＯＭ（Read  Only  Memory）、ＲＡＭ（Random  Access  Memory）等を含み、上記の各部を統括制御する。
【００２５】
一方、携帯端末２は、主なハードウェア構成として、メモリー２１、タッチパネル２２、スピーカー２３、無線通信インターフェース２４、ドックインターフェース２５および制御ユニット２６を備えている。携帯端末２としては、スマートフォン等のタブレット端末、携帯電話、ＰＤＡなどを採用可能である。
【００２６】
メモリー２１は、各種制御プログラムおよび各種アプリケーションを不揮発に記憶する。なお、アプリケーションとして、ナビユニット１２やＡＶユニット１３とリンクして動作可能なナビアプリケーションやＡＶアプリケーションを備えても良い。但し、本実施形態では、これらを用いないものとする。タッチパネル２２は、各種情報の表示および操作に用いられる。スピーカー２３は、ＡＶアプリケーションで再生された音声の出力や、不図示の電話機能による相手音声の出力を行う。無線通信インターフェース２４は、車載機器１との無線通信を行う。ドックインターフェース２５は、ドックコネクタ３と接続される。また、制御ユニット２６は、ＣＰＵ、ＲＯＭ、ＲＡＭ等を含み、上記の各部を統括制御する。
【００２７】
次に、図２を参照し、車載機器１および携帯端末２の機能構成について説明する。図２（ａ）は、車載機器１の機能ブロック図である。車載機器１は、主な機能構成として、表示部４１、検知部４２、表示制御部４３、送信部４４、受信部４５、モード切替操作部４６、画面指定部４７および情報操作部４８を備えている。
【００２８】
表示部４１は、タッチパネル１４により実現され、第１の情報および第２の情報を表示する。本実施形態において、第１の情報，第２の情報とは、いずれも画面を指す。例えば、地図画面Ｄ１（ナビゲーション画面）、ガイド画面Ｄ２（ナビゲーション画面）、ランチャー画面Ｄ３、映像表示画面Ｄ４、オーディオ操作画面Ｄ５，Ｄ６などである（図３〜図６参照）。
【００２９】
検知部４２は、ドックインターフェース１７により実現され、携帯端末２（他の電子機器）の位置を検知する。本実施形態では、携帯端末２がドックコネクタ３に装着されているか否かを検知する。但し、携帯端末２がドックコネクタ３に装着された場合でも通信不可能である場合（携帯端末２が電源ＯＦＦ状態、ブルートゥース通信ＯＦＦ状態の場合など）、検知部４２は、携帯端末２を検知したと判定しないものとする。
【００３０】
表示制御部４３は、制御ユニット１８により実現され、第１の情報および第２の情報を表示する第１の表示モードと、第１の情報および第２の情報のいずれか一方を表示する第２の表示モードと、を切り替えて表示部４１に表示する。以下、第１の表示モードを「２画面モード」、第２の表示モードを「１画面モード」と称する。なお、車載機器１では、表示モードに関わらず、２つの画面（２つの情報）の処理が行われる。つまり、１画面モードの場合、表示されていない画面の処理は、バックグラウンドで行う。
【００３１】
表示制御部４３は、例えば検知部４２により、携帯端末２がドックコネクタ３に装着されていることが検知された場合には１画面モードで表示し、携帯端末２がドックコネクタ３に装着されていることが検知されない場合には２画面モードで表示する。つまり、携帯端末２がドックコネクタ３に装着されている場合は、携帯端末２を補助表示装置として利用し、できるだけ大きな画面でメインの情報を表示すると共に、サブの情報を携帯端末２に表示させる。以下、メインの情報を「メイン画面」、サブの情報を「サブ画面」と称する。
【００３２】
送信部４４および受信部４５は、無線通信インターフェース１６またはドックインターフェース１７により実現される。送信部４４は、２画面モードから１画面モードに切り替えられたとき、表示部４１に表示されていないサブ画面を携帯端末２に送信する。また、携帯端末２にサブ画面を送信した後、後述する情報操作部４８による操作が行われた場合、その操作信号を携帯端末２に送信する。携帯端末２は、送信された操作信号を表示されている情報に反映、若しくは操作信号に基づいてオーディオ制御／映像表示制御を行う。例えば、車載機器１に地図画面Ｄ１、携帯端末２にガイド画面Ｄ２が表示されている状態で（図４参照）、車載機器１側で目的地設定操作が行われた場合などは、その目的地設定に関連する情報をガイド画面Ｄ２上にも表示する。
【００３３】
受信部４５は、携帯端末２において、送信部４４により送信された情報に対する操作が行われた場合、その操作信号を携帯端末２から受信する。受信部４５で受信した操作信号は、情報操作部４８による操作信号と同等に扱う。つまり、車載機器１で操作された場合と同様に、携帯端末２から受信した操作信号を表示されている情報に反映、若しくは操作信号に基づいてオーディオ制御／映像表示制御を行う。
【００３４】
モード切替操作部４６、画面指定部４７および情報操作部４８は、タッチパネル１４により実現される。モード切替操作部４６は、１画面モードと２画面モードを切り替えるための操作を行う。操作方法については、図７にて後述する。表示制御部４３は、携帯端末２とペアリングされた状態（無線通信インターフェース１６，２４間の通信が確立した状態）で、モード切替操作部４６の操作が行われた場合、携帯端末２がドックコネクタ３に装着されているか否かに関わらず、表示モードの切り替えを行う。つまり、携帯端末２がドックコネクタ３に装着されていない場合でも、通信圏内で表示モード切替操作が行われた場合は２画面表示から１画面表示に切り替え、携帯端末２がドックコネクタ３に装着されている場合でも、表示モード切替操作が行われた場合は１画面から２画面に戻すことができる。
【００３５】
画面指定部４７は、第１の情報および第２の情報のいずれをメイン画面とするかを指定する。本実施形態では、ガイド画面Ｄ２とランチャー画面Ｄ３は、サブ画面として機能することが予め設定されているが、それ以外の地図画面Ｄ１、映像表示画面Ｄ４、オーディオ操作画面Ｄ５については、２画面表示されている場合、いずれをメイン画面とするかを指定可能である。指定方法としては、携帯端末２がドックコネクタ３に装着されたとき、または表示モード切替操作により２画面モードから１画面モードに切り替えられたときに、メイン画面を指定するためのポップ画面を表示部４１に表示することが考えられる。また、初期設定画面において、予め画面の優先順位を指定しておき、優先順位が高い方をメイン画面として扱う構成でも良い。また、メイン画面の指定に代えて、サブ画面を指定しても良い。
【００３６】
情報操作部４８は、第１の情報または第２の情報に対する操作を行う。つまり、１画面モードの場合（車載機器１にメイン画面が表示され、携帯端末２にサブ画面が表示されている場合）、メイン画面に対する操作だけでなく、サブ画面に対する操作を行うことができる。また、情報操作部４８は、タッチパネル１４による操作だけでなく、車載機器１に設けられた他の操作子（ＡＶ操作を行うための物理操作子など）による操作も可能である。
【００３７】
一方、図２（ｂ）は、携帯端末２の機能ブロック図である。携帯端末２は、主な機能構成として、表示部５１、表示制御部５２、送信部５３、受信部５４および情報操作部５５を備えている。
【００３８】
表示部５１は、タッチパネル２２により実現され、車載機器１から送信されたサブ画面を表示する。表示制御部５２は、制御ユニット２６により実現され、情報操作部５５の操作にしたがって、表示部５１の表示制御を行う。また、車載機器１から、メイン画面またはサブ画面に対する操作信号が送信された場合、その操作信号を表示部５１に表示されている情報に反映する。例えば、携帯端末２にオーディオ操作画面が表示されている状態で、車載機器１側で再生操作が行われた場合は、その再生操作結果をオーディオ操作画面に反映する。
【００３９】
送信部５３および受信部５４は、無線通信インターフェース２４またはドックインターフェース２５により実現される。送信部５３は、情報操作部５５によりサブ画面に対する操作が行われた場合、その操作信号を車載機器１に送信する。また、受信部５４は、車載機器１からメイン画面またはサブ画面に対する操作信号が送信された場合、その操作信号を受信する。情報操作部５５は、タッチパネル２２により実現され、サブ画面に対する操作を行う。なお、情報操作部５５も、車載機器１の情報操作部４８と同様に、タッチパネル２２による操作だけでなく、携帯端末２に設けられた他の操作子による操作を可能としても良い。また、携帯端末２にインストールされたアプリケーションの機能により、サブ画面に対する操作だけでなく、メイン画面に対する操作を行い得る構成としても良い。例えば、ＡＶアプリケーションを起動し、ＡＶに関する画面が表示されていない状態でも、車載機器１のＡＶ操作を行い得る構成としても良い。
【００４０】
次に、図３〜図６を参照し、具体的な画面表示例を挙げて車載機器１と携帯端末２間の画面遷移について説明する。図３は、車載機器１のタッチパネル１４に、地図画面Ｄ１とガイド画面Ｄ２の２画面表示が行われ、携帯端末２のタッチパネル２２にホーム画面Ｄ０が表示されている場合を例示している。つまり、同図は携帯端末２がドックコネクタ３に装着されていない状態を示している。同図において、地図画面Ｄ１がメイン画面であり、ガイド画面Ｄ２がサブ画面である。このように、メイン画面とサブ画面は重畳表示されていても良い。また、メイン画面に対しサブ画面が必ずしも小さい画面である必要はなく、メイン画面よりサブ画面が大きくても良い。また、タッチパネル２２上におけるメイン画面とサブ画面の配置も問わない。なお、ナビゲーション用の画面を表示する場合、図示したような地図画面Ｄ１とガイド画面Ｄ２に限らず、視点やスケール（縮尺）が異なる２種類の画面を表示しても良い。
【００４１】
図３に示したように、車載機器１が２画面表示されている状態で、携帯端末２がドックコネクタ３に装着されると、図４に示す表示となる。つまり、車載機器１は、メイン画面である地図画面Ｄ１のみの１画面表示となり、携帯端末２は、サブ画面であるガイド画面Ｄ２を表示する。この場合、ガイド画面Ｄ２の縦横比や表示サイズを、携帯端末２の画面サイズや端末の向きに応じて可変することが好ましい。
【００４２】
続いて、図５（ａ）は、車載機器１のタッチパネル１４に、地図画面Ｄ１とランチャー画面Ｄ３の２画面表示が行われている場合を例示している。この場合、地図画面Ｄ１がメイン画面であり、ランチャー画面Ｄ３がサブ画面である。したがって、携帯端末２がドックコネクタ３に装着されると、携帯端末２のタッチパネル２２にランチャー画面Ｄ３が表示される（図示省略）。ここで、ランチャー画面Ｄ３とは、車載機器１に組み込まれたウィジェット（同図、Ｗ１〜Ｗ５）を選択するための画面を指す。
【００４３】
携帯端末２において、タッチパネル２２に表示されたランチャー画面Ｄ３を左右にスライドさせると、その操作信号が車載機器１に送信され、それに合わせて変化したランチャー画面Ｄ３（車載機器１側で生成された画面データ）が、携帯端末２のタッチパネル２２に反映される。また、携帯端末２で、ウィジェットが選択されると、その選択結果がリアルタイムに車載機器１に反映される。このとき、車載機器１に送信される操作信号は、タッチパネル２２の向きとタッチパネル２２への操作位置を表す信号を含む（他の画面が表示された場合も同様）。つまり、車載機器１側では、各ウィジェット（Ｗ１〜Ｗ５）の表示位置と、タッチパネル２２の向きと操作位置を表す信号とを照合して、選択されたウィジェットを判定し、そのウィジェットを起動するなどの処理を行う。なお、携帯端末２において、タッチパネル２２以外の操作子により選択操作が行われる場合は、その操作子の操作結果が、操作信号として車載機器１に送信される。
【００４４】
図５（ｂ）は、車載機器１のタッチパネル１４に、映像表示画面Ｄ４と地図画面Ｄ１の２画面表示が行われている場合を例示している。この場合、メイン画面とサブ画面は、画面指定部４７の指定に基づく。なお、映像表示画面Ｄ４と地図画面Ｄ１のいずれかが携帯端末２に送信された場合でも、各画面に関連する音声出力は、車載機器１側で行われる（オーディオ操作画面についても同様）。また、同図のように２画面表示を行っている場合で、映像再生が終了した場合または映像再生の停止操作が行われた場合、携帯端末２の検知結果に関わらず、１画面表示に戻す構成としても良い。
【００４５】
図６（ａ）は、車載機器１のタッチパネル１４に、映像表示画面Ｄ４とオーディオ操作画面Ｄ５の２画面表示が行われている場合を例示している。この場合も、メイン画面とサブ画面は、画面指定部４７の指定に基づく。例えば、オーディオ操作画面Ｄ５がメイン画面として指定された場合、２画面モードから１画面モードに切り替わると、図６（ｂ）に示す表示となる。つまり、オーディオ操作画面Ｄ６のみの１画面表示となる。但し、図６（ｂ）に示すオーディオ操作画面Ｄ６は、図６（ａ）に示すオーディオ操作画面Ｄ５に、楽曲選択アイコン（画面左側）が追加された表示となっている。このように、１画面表示の場合と２画面表示の場合で、表示内容が異なっていても良い。
【００４６】
次に、図７を参照し、モード切替操作部４６による表示モード切替操作について説明する。本実施形態では、同図（ａ）〜（ｃ）に示す３種類の操作が可能となっている。例えば、同図（ａ）に示すように、２本の指を平行に移動させるフリック操作によって、表示モードを切替可能としても良い。この場合、平行に移動させる本数を、２本に限らず、３本、４本と規定しても良い。また、同図（ｂ）に示すように、タッチパネル１４の所定領域Ｅ１内を起点としたフリック操作によって、表示モードを切替可能としても良い。この場合、所定領域Ｅ１は複数あっても良いし、タッチパネル１４の外周領域（枠付近）全てを所定領域Ｅ１としても良い。
【００４７】
さらに、同図（ｃ）に示すように、Ｕの字型に指を移動させるフリック操作によって、表示モードを切替可能としても良い。また、Ｕ字型に限らず、Ｏ字型やＳ字型など、曲線移動を伴うフリック操作であっても良い。このように、同図（ａ）〜（ｃ）に示すようなフリック操作によって表示モードの切替を可能とすることで、表示モードを切替えるための専用操作子を備えたり、ポップアップ画面として表示モード切替画面を表示させたり、表示モード切替専用画面に画面遷移させたりする必要がないため、車載機器１の構成を簡素化することができると共に、迅速に表示モードの切替を行うことができる。
【００４８】
なお、「フリック操作」とは、画面を素早く払うようにタッチする操作を指す。このフリック操作に代えて、同図（ａ）〜（ｃ）に示す軌跡のドラッグ操作で、表示モードを切替可能としても良い。また、フリック操作とドラッグ操作のいずれを採用するか、また同図（ａ）〜（ｃ）のいずれを採用するかについて、ユーザーが設定可能としても良い。
【００４９】
次に、図８のフローチャートを参照し、車載機器１を２画面モードから１画面モードへ切り替える表示モード切替処理について説明する。まず、車載機器１においてメイン画面とサブ画面の２画面表示が行われている状態（２画面モードの状態）では（Ｓ０１）、携帯端末２がドックコネクタ３に装着されたか否かを検知し（Ｓ０２）、装着されていない場合は（Ｓ０２：Ｎｏ）、表示モードの切り替え操作が行われたか否かを判別する（Ｓ０３）。表示モードの切り替え操作が行われていない場合は（Ｓ０３：Ｎｏ）、Ｓ０１に戻る。また、携帯端末２がドックコネクタ３に装着されたことを検知した場合（Ｓ０２：Ｙｅｓ）、または表示モードの切り替え操作が行われた場合は（Ｓ０３：Ｙｅｓ）、携帯端末２にサブ画面を送信し（Ｓ０４）、メイン画面のみの１画面表示（１画面モード）に切り替える（Ｓ０５）。携帯端末２は、サブ画面を受信し（Ｓ０６）、これをタッチパネル２２上に表示する（Ｓ０７）。
【００５０】
なお、特に図示しないが、車載機器１が１画面表示の状態で携帯端末２がドックコネクタ３に装着されたことを検知しても、表示モードの切替は行わない。また、携帯端末２への画面送信も行わない。また、地図画面Ｄ１にガイド画面Ｄ２を重畳表示する場合など（図３参照）、一時的に２画面表示になる場合は、２画面表示になったときだけ、サブ画面（ガイド画面Ｄ２）を携帯端末２に表示させる。この場合、携帯端末２は、サブ画面を表示しているとき以外は、非表示状態であっても良いし、ホーム画面Ｄ０など元画面（ドックコネクタ３装着前に表示されていた画面）を表示しても良い。また、携帯端末２にサブ画面が表示されている場合でも、電話がかかってきた場合などは、サブ画面上に電話着信表示を重畳表示することが好ましい。
【００５１】
次に、図９のフローチャートを参照し、車載機器１を１画面モードから２画面モードへ切り替える表示モード切替処理について説明する。まず、車載機器１においてメイン画面のみの１画面表示が行われており（１画面モードの状態、但しバックグラウンドでサブ画面の処理が行われている，Ｓ１１）、携帯端末２でサブ画面が表示されている状態（Ｓ１６）を想定する。車載機器１は、携帯端末２がドックコネクタ３から非装着となったか（取り外されたか）否かを検知し（Ｓ１２）、非装着となっていない場合は（Ｓ１２：Ｎｏ）、表示モードの切り替え操作が行われたか否かを判別する（Ｓ１３）。表示モードの切り替え操作が行われていない場合は（Ｓ１３：Ｎｏ）、Ｓ１１に戻る。また、携帯端末２が非装着となったことを検知した場合（Ｓ１２：Ｙｅｓ）、または表示モードの切り替え操作が行われた場合は（Ｓ１３：Ｙｅｓ）、携帯端末２にサブ画面消去指令を送信し（Ｓ１４）、メイン画面とサブ画面の２画面表示（２画面モード）に切り替える（Ｓ１５）。一方、携帯端末２は、送信されたサブ画面消去指令に基づいて、サブ画面を消去する（Ｓ１７）。
【００５２】
なお、図９のフローチャートにおいて、Ｓ１４を省略しても良い。この場合、携帯端末２は、ドックコネクタ３から非装着となったことをトリガーとして、サブ画面を消去しても良い。若しくは、携帯端末２でサブ画面の消去操作が行われるまで、サブ画面の表示を継続しても良い。この場合、車載機器１と携帯端末２が無線通信可能状態である限り、操作信号の授受を可能とすることが好ましい。
【００５３】
以上説明したとおり、本実施形態によれば、車載機器１で２画面表示されている状態において、携帯端末２がドックコネクタ３に装着されたことを検知した場合に、携帯端末２に対してサブ画面を送信する構成であるため、ユーザーが意図していないにも関わらず、携帯端末２側にサブ画面が表示されてしまうなどの不具合がない。つまり、ユーザーが意図的にドックコネクタ３に携帯端末２を装着しない限り、不意に車載機器１側の画面が移動されることはない。また、車載機器１と携帯端末２が通信可能であれば、携帯端末２がドックコネクタ３に装着されているか否かに関わらず、モード切替操作が可能であるため、助手席や後部座席など、車載機器１から離れた場所で、車載機器１の操作を行うことが可能となる。
【００５４】
なお、上記の実施形態では、車載機器１のナビユニット１２やＡＶユニット１３で再生された音声の出力を、車載機器１のスピーカー１５で行うものとしたが、携帯端末２への画面の移動に伴って、携帯端末２のスピーカー２３でこれらの音声出力を行っても良い。また、画面移動の際に、出力対象を、スピーカー１５、スピーカー２３、スピーカー１５およびスピーカー２３の中から選択可能としても良い。
【００５５】
また、上記の実施形態において、車載機器１は、携帯端末２が通信可能な状態でドックコネクタ３に装着されたことを検知したとき、２画面モードから１画面モードへの切り替えを行ったが、携帯端末２が通信可能か否かに関わらず、ドックコネクタ３に物理的に装着されたことを検知して表示モードの切り替えを行っても良い。つまり、車載機器１が２画面表示を行っているとき、携帯端末２が電源ＯＦＦ状態、またはブルートゥース通信ＯＦＦ状態でドックコネクタ３に装着された場合でも、１画面モードへの切り替えを行う構成としても良い。
【００５６】
また、携帯端末２がドックコネクタ３に装着されたか否か（所定の位置に存在するか否か）ではなく、所定の距離以内に存在するか否かを検知しても良い。この場合、所定の距離は、無線通信手段の通信範囲として規定しても良いし、通信強度が所定の閾値を超える範囲として規定しても良い。
【００５７】
また、上記の実施形態では、第１の情報，第２の情報として、メイン画面とサブ画面を例示したが、各情報は画面単位でなくても良い。例えば、オーディオ操作画面Ｄ６（図６（ｂ）参照）の左側半分を第１の情報とし、右側半分を第２の情報としても良い。
【００５８】
また、携帯端末２は必ずしも１台でなくても良く、複数台存在しても良い。この場合、同じサブ画面を複数の携帯端末２に表示させても良い。また、車載機器１で第１の情報，第２の情報，第３の情報を表示可能である場合は、車載機器１で第１の情報を表示すると共に、第１の携帯端末２に第２の情報を表示させ、第２の携帯端末２に第３の情報を表示させても良い。
【００５９】
また、上記の実施形態では、１画面モードの車載機器１において、サブ画面の表示処理をバックグランドで行うものとしたが、サブ画面の表示処理を携帯端末２側で行っても良い。この場合、車載機器１は、携帯端末２にサブ画面を送信する際に、サブ画面の処理を行うためのアプリケーションの起動要求を同時に行う。また、携帯端末２は、起動したアプリケーションに基づき、送信されたサブ画面を初期画面として、表示・処理を行う。
【００６０】
また、上記の実施形態において、車載機器１は、携帯端末２を検知したが、それ以外の電子機器を検知しても良い。また、その電子機器自体に表示手段がない場合、当該電子機器と通信可能な他の表示装置を補助表示装置として用いても良い。
【００６１】
また、上記の実施形態では、請求項における表示装置を車載機器１に適用したが、携帯端末２に適用しても良い。つまり、図２に示した車載機器１の各機能を、携帯端末２に搭載しても良い。
【００６２】
また、上記に示した表示連携システムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターを表示連携システムＳＹの各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００６３】
１：車載機器  ２：携帯端末  ３：ドックコネクタ  ４１：表示部  ４２：検知部  ４３：表示制御部  ４４：送信部  ４５：受信部  ４６：モード切替操作部  ４７：画面指定部  ４８：情報操作部  ５１：表示部  ５２：表示制御部  ５３：送信部  ５４：受信部  ５５：情報操作部  Ｄ０：ホーム画面  Ｄ１：地図画面  Ｄ２：ガイド画面  Ｄ３：ランチャー画面  Ｄ４：映像表示画面  Ｄ５：オーディオ操作画面  Ｄ６：オーディオ操作画面  ＳＹ：表示連携システム
【図１】
2015118483.tif 000003
【図２】
2015118483.tif 000004
【図３】
2015118483.tif 000005
【図４】
2015118483.tif 000006
【図５】
2015118483.tif 000007
【図６】
2015118483.tif 000008
【図７】
2015118483.tif 000009
【図８】
2015118483.tif 000010
【図９】
2015118483.tif 000011